(57)【要約】【課題】隣接するパネル材に接続可能な押出形材からなるパネル材において、２枚のパネル材の裏面同士を対向させて重ね合わせて運搬した場合でも、一方のパネル材が他方のパネル材の裏側に入り込まないパネル材を提供する。【解決手段】側方に突出した係止片２２と、隣接するパネル材１０の前記係止片２２を挿入可能なコ字形の受溝３２と、を備え、前記受溝３２を形成したことにより前記受溝３２よりも化粧面１２側において前記受溝３２の反対方向に開口する内溝３７が形成され、２枚のパネル材１０の裏面１３同士を対向させて重ね合わせたときに、一方のパネル材１０の前記内溝３７に他方のパネル材１０の前記係止片２２が入り込まないようにするための進入防止手段３８を設けた。【選択図】図４
2015158078.tif 000002
【特許請求の範囲】
【請求項１】
化粧面を備えた平面部と、前記平面部の一方の端部に形成された第１の接続部と、前記平面部の他方の端部に形成された第２の接続部と、を備えた押出形材からなるパネル材であって、
前記第１の接続部と前記第２の接続部とを接続することで隣り合うパネル材を接続可能に形成され、
前記第１の接続部は、側方に突出した係止片を備え、
前記第２の接続部は、隣接するパネル材の前記係止片を挿入可能なコ字形の受溝を備えるとともに、前記受溝よりも化粧面側において前記受溝の反対方向に開口する内溝を備え、
２枚のパネル材の裏面同士を対向させて重ね合わせたときに、一方のパネル材の前記内溝に他方のパネル材の前記係止片が入り込まないようにするための進入防止手段を設けたことを特徴とする、パネル材。
【請求項２】
前記進入防止手段は、前記内溝の入口に設けられた突起であることを特徴とする、請求項１記載のパネル材。
【請求項３】
２枚のパネル材の裏面同士を対向させて上下に重ね合わせたときに、互いの前記係止片が相手側の前記突起に当接することを特徴とする、請求項２記載のパネル材。
【発明の詳細な説明】
【技術分野】
【０００１】
この発明は、重ね合わせて運搬することが可能なパネル材に関する。
【背景技術】
【０００２】
従来、ビル建築の天井、外壁、内壁等に押出形材からなるパネル材が使用されている。こうしたパネル材は隣接するパネル材と連結できるようになっており、複数のパネル材を互いに連結していくことで壁面や天井を完成していくようになっている。例えば特許文献１に記載されているように、スパンドレル形材の一側に、隣接するスパンドレル形材の嵌入縁を嵌合する嵌合部を形成し、他側に、隣接するスパンドレル形材の嵌合部に嵌入する嵌入縁を形成したものが知られている。
【０００３】
こうしたパネル材を運搬する際には、２枚のパネル材の裏面同士を対向させて重ね合わせて運搬するのが便利である。すなわち、重ね合わせることで一回の運搬で２枚のパネル材を運搬できるし、裏面の凹凸を互いに係合させて運搬できるので運搬中にパネル材が滑って落下することを防止できる。
【先行技術文献】
【特許文献】
【０００４】
【特許文献１】特開平１０−１５９２４０号公報
【発明の概要】
【発明が解決しようとする課題】
【０００５】
しかし、上記した従来の構造では、２枚のパネル材の裏面同士を対向させて重ね合わせて運搬した際に一方のパネル材の突出片が他方のパネル材の係合部の裏側に入り込んでしまい、現場で作業しようとしたときに一方のパネル材が他方のパネル材から容易に抜けなくなってしまうという問題があった。こうしたパネル材は一般的に長尺であるため、一度入り込んでしまうと引き抜く作業に手間がかかり、作業性に悪影響を与えることとなる。また、引き抜く際にパネル材が傷付くなどのトラブルも発生しやすくなる。
【０００６】
そこで、本発明は、隣接するパネル材に接続可能な押出形材からなるパネル材において、２枚のパネル材の裏面同士を対向させて重ね合わせて運搬した場合でも、一方のパネル材が他方のパネル材の裏側に入り込まないようにしたパネル材を提供することを課題とする。
【課題を解決するための手段】
【０００７】
本発明は、上記した課題を解決するためになされたものであり、以下を特徴とする。
【０００８】
請求項１記載の発明は、化粧面を備えた平面部と、前記平面部の一方の端部に形成された第１の接続部と、前記平面部の他方の端部に形成された第２の接続部と、を備えた押出形材からなるパネル材であって、前記第１の接続部と前記第２の接続部とを接続することで隣り合うパネル材を接続可能に形成され、前記第１の接続部は、側方に突出した係止片を備え、前記第２の接続部は、隣接するパネル材の前記係止片を挿入可能なコ字形の受溝を備えるとともに、前記受溝よりも化粧面側において前記受溝の反対方向に開口する内溝を備え、２枚のパネル材の裏面同士を対向させて重ね合わせたときに、一方のパネル材の前記内溝に他方のパネル材の前記係止片が入り込まないようにするための進入防止手段を設けたことを特徴とする。
【０００９】
請求項２に記載の発明は、上記した請求項１に記載の発明の特徴点に加え、前記進入防止手段は、前記内溝の入口に設けられた突起であることを特徴とする。
【００１０】
請求項３に記載の発明は、上記した請求項２に記載の発明の特徴点に加え、２枚のパネル材の裏面同士を対向させて上下に重ね合わせたときに、互いの前記係止片が相手側の前記突起に当接することを特徴とする。
【発明の効果】
【００１１】
請求項１に記載の発明は上記の通りであり、２枚のパネル材の裏面同士を対向させて重ね合わせたときに、一方のパネル材の内溝に他方のパネル材の係止片が入り込まないようにするための進入防止手段を設けたので、２枚のパネル材の裏面同士を対向させて重ね合わせて運搬した場合でも、一方のパネル材が他方のパネル材の裏側に入り込まないようにすることができる。
【００１２】
また、請求項２に記載の発明は上記の通りであり、前記進入防止手段は、前記内溝の入口に設けられた突起であるので、最小限の重量及びコストの増加で、一方のパネル材が他方のパネル材の裏側に入り込まないようにすることができる。
【００１３】
また、請求項３に記載の発明は上記の通りであり、２枚のパネル材の裏面同士を対向させて上下に重ね合わせたときに、互いの前記係止片が相手側の前記突起に当接するので、重ね合わせた状態で安定して運搬することができ、運搬時の揺れなどによるガタつきでパネル材に傷がつくことを防止できる。
【図面の簡単な説明】
【００１４】
【図１】本実施形態に係るパネル材の外観斜視図である。
【図２】本実施形態に係るパネル材の正面図である。
【図３】本実施形態に係るパネル材を取り付けた状態の図である。
【図４】本実施形態に係るパネル材の裏面同士を対向させて上下に重ね合わせた図である。
【図５】本実施形態に係る進入防止手段を説明する一部拡大図である。
【図６】本実施形態に係るパネル材の変形例である。
【図７】進入防止手段を備えていないパネル材において、一方のパネル材が他方のパネル材の裏側に入り込んだ状態を示す一部拡大図である。
【発明を実施するための形態】
【００１５】
本発明の実施形態について、図を参照しながら説明する。
【００１６】
本実施形態に係るパネル材１０は、ビル建築の天井、外壁、内壁等に使用されるアルミニウム製の押出形材からなり、図１及び図２に示すように、化粧面１２を備えた平面部１１と、前記平面部１１の一方の端部に形成された第１の接続部２０と、前記平面部１１の他方の端部に形成された第２の接続部３０と、を備えている。
【００１７】
平面部１１は、化粧面１２によって天井面や壁面などを形成するものであり、化粧面１２が外側に向くように下地材５０などに取り付けられる。この平面部１１の裏面１３にはリブ１４が突出形成されており、図３に示すように、パネル材１０を下地材５０などに取り付けたときにリブ１４が下地材５０に当接して安定した取り付け状態を維持できるようになっている。
【００１８】
第１の接続部２０は、図２に示すように、平面部１１の端部から略直角に延設された第１立上部２１と、第１立上部２１の上端から略直角に延設された係止片２２と、を備えている。係止片２２は、複数のパネル材１０を連続して配置した際に隣接するパネル材１０と係合可能に側方に突出して形成されている。なお、この係止片２２の先端には、上方に向けて屈折した上向屈折端部２３が形成されている。
【００１９】
第２の接続部３０は、図２に示すように、平面部１１の端部から略直角に延設された第２立上部３１と、第２立上部３１の上部に形成された受溝３２と、を備えている。受溝３２は、複数のパネル材１０を連続して配置した際に隣接するパネル材１０の前記係止片２２を挿入するためのものであり、係止片２２を挿入する方向を開口させた略コ字形の溝として形成されている。この受溝３２は、図２に示すように、第２立上部３１の上端から略直角に内方（第１の接続部２０の方向）に延びる下壁部３３と、下壁部３３の端部から略直角に上方に延びる奥壁部３４と、奥壁部３４の上端から略直角に外方に延びる上壁部３５と、によって形成されている。なお、上壁部３５の先端部には、下方に向けて屈折した下向屈折端部３６が形成されている。
【００２０】
このパネル材１０を使用して天井面や壁面を構成する場合には、図３に示すように、下地材５０などの表面にパネル材１０を固定し、この下地材５０に固定したパネル材１０に隣接するパネル材１０を連結して固定していく。パネル材１０を連結する際には、図３に示すように、隣り合うパネル材１０の第１の接続部２０と第２の接続部３０とを接続することで互いに連結する。
【００２１】
この作業を詳しく説明すると、まず最初のパネル材１０を下地材５０の表面に固定する。具体的には、第２の接続部３０の上壁部３５を下地材５０に当接させ、上壁部３５を貫通するようにビス５１を下地材５０に打ち込んで、最初のパネル材１０を下地材５０に固定する。このとき、リブ１４が下地材５０に当接することで取り付けが安定する。次に、隣接するパネル材１０の係止片２２を、最初のパネル材１０の受溝３２に奥まで挿入する。係止片２２の先端には上向屈折端部２３が形成されており、この上向屈折端部２３が受溝３２の内幅と略等しい幅で形成されているため、係止片２２は受溝３２によって支持される。係止片２２が受溝３２によって固定されたら、隣接するパネル材１０の上壁部３５を貫通するようにビス５１を下地材５０に打ち込んで、隣接するパネル材１０を下地材５０に固定する。このような作業をパネル材１０の数だけ繰り返せば、隣り合うパネル材１０をいくつでも接続することができる。このような接続方法によれば、第１の接続部２０が隣接するパネル材１０によって支持され、第２の接続部３０だけをビス５１で固定すればよいので、パネル材１０の取り付け作業を簡素化することができる。
【００２２】
ところで、本実施形態に係るパネル材１０は、受溝３２を形成したことにより受溝３２よりも化粧面１２側（図２における下側）に内溝３７が形成されている。すなわち、図２等に示すように、平面部１１と、第２立上部３１と、下壁部３３と、によって略コ字形の内溝３７が形成されている。この内溝３７は、第１の接続部２０の方向に向けて開口しており、言い換えると、受溝３２とは反対方向に向けて開口している。
【００２３】
また、この内溝３７の入口には、内溝３７の入口を塞ぐように突出した突起３８が設けられている。この突起３８は、図４及び図５に示すように、２枚のパネル材１０の裏面１３同士を対向させて重ね合わせたときに、一方のパネル材１０の内溝３７に他方のパネル材１０の係止片２２が入り込まないようにするための進入防止手段として機能するものである。
【００２４】
すなわち、パネル材１０を運搬する際に、図４に示すように、２枚のパネル材１０の裏面１３同士を対向させて重ね合わせたとしても、一方のパネル材１０の突起３８に他方のパネル材１０の係止片２２の上向屈折端部２３が突き当たるので、係止片２２が内溝３７に入り込むことが防止される。
【００２５】
このような進入防止手段を備えていないパネル材１０の場合、図７に示すように、２枚のパネル材１０の裏面１３同士を対向させて重ね合わせて運搬した際に、係止片２２が内溝３７に入り込んでしまい、現場で作業しようとしたときに一方のパネル材１０が他方のパネル材１０から容易に抜けなくなってしまうという問題がある。こうしたパネル材１０は一般的に長尺であるため、一度入り込んでしまうと引き抜く作業に手間がかかり、作業性に悪影響を与えることとなっていた。また、引き抜く際にパネル材１０が傷付くなどのトラブルも発生しやすくなっていた。
【００２６】
しかしながら、本実施形態によれば、進入防止手段を設けたことにより、２枚のパネル材１０の裏面１３同士を対向させて重ね合わせて運搬した場合でも、一方のパネル材１０が他方のパネル材１０の裏側に入り込まないので、上記したような問題が発生しない。
【００２７】
なお、本実施形態においては、突起３８が内溝３７の開口縁に設けられており、突起３８と奥壁部３４とが段差なく連続する（係止片２２の突き当て面において、突起３８と奥壁部３４とが面一となる）ようになっている。このため、一方のパネル材１０の突起３８付近には、係止片２２が引っ掛かるような段差が存在せず、運搬時に重ねたパネル材１０が引っ掛かって抜けなくなるといったこともない。
【００２８】
また、２枚のパネル材１０の裏面１３同士を対向させて上下に重ね合わせたときに、互いの係止片２２が相手側の突起３８に当接するようになっているため、重ね合わせた状態で安定して運搬することができ、運搬時の揺れなどによるガタつきでパネル材１０に傷がつくことを防止できるようになっている。
【００２９】
なお、上記した実施形態においては、平面部１１の裏面１３にリブ１４を設ける例について説明したが、これに限らず、図６（ａ）に示すようなコ字形の凸部１５をリブ１４の代わりに設けたり、図６（ｂ）に示すようにリブ１４を設けないようにしてもよい。
【００３０】
また、上記した実施形態においては、進入防止手段として突起３８を設けたが、これに限らず、図６（ｃ）に示すように奥壁部３４を延長した壁部３９を平面部１１まで延設し、この壁部３９を進入防止手段としてもよい。
【符号の説明】
【００３１】
１０  パネル材
１１  平面部
１２  化粧面
１３  裏面
１４  リブ
１５  凸部
２０  第１の接続部
２１  第１立上部
２２  係止片
２３  上向屈折端部
３０  第２の接続部
３１  第２立上部
３２  受溝
３３  下壁部
３４  奥壁部
３５  上壁部
３６  下向屈折端部
３７  内溝
３８  突起（進入防止手段）
３９  壁部（進入防止手段）
５０  下地材
５１  ビス
【図１】
2015158078.tif 000003
【図２】
2015158078.tif 000004
【図３】
2015158078.tif 000005
【図４】
2015158078.tif 000006
【図５】
2015158078.tif 000007
【図６】
2015158078.tif 000008
【図７】
2015158078.tif 000009